(57)【要約】【課題】ディスクを挟持する際のターンテーブルとクランパとの位置精度が向上出来、該ディスクを挟持する際に発生する衝突音の軽減を可能としたディスク装置を提供する。【解決手段】フレーム３の前面側ガイド溝３１に突起部８１を形成し、該フレーム３の側面側ガイド溝３３には後方側に膨出した空間を形成する。この構造により、トラバースユニット２が傾斜状態からフレーム３との連結部分を支点に傾動する際にホルダ部材６に形成した前方側ガイド軸６１が突起部８１を乗り上げて一時的にトラバースユニット２をフレーム３の後方側へと移動させることとなり、ディスクを挟持する際におけるディスク装置の高さ方向でのターンテーブルとクランパとの位置を合わせることが出来る。【選択図】図５
2007157186.tif 000002
【特許請求の範囲】
【請求項１】
ディスクを載置し回転させるターンテーブルと、前記ディスクにレーザー光を照射し該ディスクの情報を読み込み或いは該ディスクに情報を記録するピックアップユニットと、該ターンテーブルと該ピックアップユニットとを組み付けるシャーシとを主要構成部品とするトラバースユニットと、前記トラバースユニットを内部に収容するための開口部分を有するフレームと、前記トラバースユニットの後方部分を支点として前記フレームに対して該トラバースユニットを傾動させる該フレームの幅方向に摺動可能なラックローディングと、前記ターンテーブルと共に前記ディスクを挟持するクランパと、前記トラバースユニットの前方に組み付けられるホルダ部材とを備え、前記トラバースユニットの後方部分と前記フレームの内側後方部分とは緩衝部材を介して連結し、前記トラバースユニットの前方部分に組み付けられる前記ホルダ部材の前面には前方側ガイド軸が、前記ホルダ部材の両側面には側方側ガイド軸が形成され、前記フレームの前方側には前記前方側ガイド軸が遊嵌する前面側ガイド溝が、前記フレームの側面内側には前記側方側ガイド軸が遊嵌する側面側ガイド溝が形成され、前記ラックローディングには前記ホルダ部材の前方側ガイド軸が挿通するカム溝を形成し、前記前方側ガイド軸を前記カム溝に挿通させて前記前面側ガイド溝に遊嵌した状態で組み付けられているディスク装置であって、前記前面側ガイド溝に突起部を形成し、前記側面側ガイド溝には前記フレームの後方側に膨出した空間が形成されていることを特徴とするディスク装置。
【請求項２】
ディスクを載置し回転させるターンテーブルと、前記ディスクにレーザー光を照射し該ディスクの情報を読み込み或いは該ディスクに情報を記録するピックアップユニットと、該ターンテーブルと該ピックアップユニットとを組み付けるシャーシとを主要構成部品とするトラバースユニットと、前記トラバースユニットを内部に収容するための開口部分を有するフレームと、前記トラバースユニットの後方部分を支点として前記フレームに対して該トラバースユニットを傾動させる該フレームの幅方向に摺動可能なラックローディングと、前記ターンテーブルと共に前記ディスクを挟持するクランパと、前記トラバースユニットの前方に組み付けられるホルダ部材とを備え、前記トラバースユニットの後方部分と前記フレームの内側後方部分とは緩衝部材を介して連結し、前記トラバースユニットの前方部分に組み付けられる前記ホルダ部材の前面には前方側ガイド軸が、前記ホルダ部材の両側面には側方側ガイド軸が形成され、前記フレームの前方側には前記前方側ガイド軸が遊嵌する前面側ガイド溝が、前記フレームの側面内側には前記側方側ガイド軸が遊嵌する側面側ガイド溝が形成され、前記ラックローディングには前記ホルダ部材の前方側ガイド軸が挿通するカム溝を形成し、前記前方側ガイド軸を前記カム溝に挿通させて前記前面側ガイド溝に遊嵌した状態で組み付けられているディスク装置であって、前記ホルダ部材の前面側に突起部を形成し、前記ラックローディングの前記ホルダ部材側には突起部を形成し、前記側面側ガイド溝には前記フレームの後方側に膨出した空間が形成されていることを特徴とするディスク装置。
【請求項３】
ディスクを載置し回転させるターンテーブルと、前記ディスクにレーザー光を照射し該ディスクの情報を読み込み或いは該ディスクに情報を記録するピックアップユニットと、該ターンテーブルと該ピックアップユニットとを組み付けるシャーシとを主要構成部品とするトラバースユニットと、前記トラバースユニットを内部に収容するための開口部分を有するフレームと、前記トラバースユニットの後方部分を支点として前記フレームに対して該トラバースユニットを傾動させる該フレームの幅方向に摺動可能なラックローディングと、前記ターンテーブルと共に前記ディスクを挟持するクランパと、前記トラバースユニットの前方に組み付けられるホルダ部材とを備え、前記トラバースユニットの後方部分と前記フレームの内側後方部分とは緩衝部材を介して連結し、前記トラバースユニットの前方部分に組み付けられる前記ホルダ部材の前面には前方側ガイド軸が、前記ホルダ部材の両側面には側方側ガイド軸が形成され、前記フレームの前方側には前記前方側ガイド軸が遊嵌する前面側ガイド溝が、前記フレームの側面内側には前記側方側ガイド軸が遊嵌する側面側ガイド溝が形成され、前記ラックローディングには前記ホルダ部材の前方側ガイド軸が挿通するカム溝を形成し、前記前方側ガイド軸を前記カム溝に挿通させて前記前面側ガイド溝に遊嵌した状態で組み付けられているディスク装置であって、前記側面側ガイド溝には前記フレームの後方側に湾曲した部分が形成されていることを特徴とするディスク装置。
【発明の詳細な説明】
【技術分野】
【０００１】
本発明は、装置内部に搬入される記憶媒体（以下、単にディスクと称す）の上面（レーベル面）及び下面（記録面）よりターンテーブルと共に挟持するクランパを備えたディスク装置に関し、特に装置内部でディスクを挟持する際のターンテーブルとクランパとの位置精度の向上及び該ディスクを挟持する際に発生する衝突音の軽減を可能としたディスク装置に関する。
【背景技術】
【０００２】
ディスク装置は、該装置内部に搬入したディスクをターンテーブルとクランパとによって挟持した状態で回転し、該ディスクの記録面からピックアップユニットより照射するレーザー光によって情報を読み込み再生する、或いは該ディスクの記録面に該ピックアップユニットより照射するレーザー光によって情報を書き込み記録することを目的とした装置である。
【０００３】
そして、装置内部においてディスクを回転させるためのターンテーブルは、モータの回転軸に取着した状態でシャーシに組み付けられており、該ディスクの記録面にレーザー光を照射するピックアップユニットについても該ディスクの半径方向に摺動可能な状態で同様のシャーシに組み付けられている。
【０００４】
主要構成部材として、ターンテーブルを回転軸に取着したモータと、ピックアップユニットとをシャーシに組み付けて構成したものを一般にトラバースユニットと称しており、このトラバースユニットの一端側についてはディスク装置の外観を担うフレームと緩衝部材を介して連結されている。すなわち、フレームの内部側に配置されたトラバースユニットは、該フレームとの連結部分を支点として傾斜状態と水平状態とに傾動可能な状態で取り付けられることとなる。
【０００５】
そして、装置の外部よりディスクが搬入される際には、トラバースユニットを傾斜状態として該ディスクとターンテーブルなどの部材が衝突することなく、該ディスクを装置内部の所定位置まで搬送機構によって搬入し、該ディスクが所定位置まで搬入された時点で傾斜状態にあるトラバースユニットをフレームとの連結部分を支点に上昇させて水平状態とする。
【０００６】
前記トラバースユニットが傾斜状態から水平状態へと上昇する間に、該トラバースユニットのターンテーブル上にディスクが載置され（すなわち、ディスクの下方より上昇するトラバースユニットのターンテーブルがディスクの中央に形成されている貫通孔に嵌合する）、ターンテーブルの対向位置よりクランパが該ディスクを押圧して挟持することとなる。
【０００７】
尚、ターンテーブルとクランパとの間でディスクを挟持するための力を発生させる手段として、例えば、クランパの内部に磁石を取り付け、ターンテーブルの表面側には磁性体を取り付けて、ターンテーブルがクランパに近づくことによって双方の間で磁力が働きディスクを挟持することが出来る。又、ターンテーブルの略中央部分には凹部が形成してあり、対向するクランパの略中央部分には該凹部に嵌合する凸部が形成してある。そして、ターンテーブルの凹部にクランパの凸部が嵌合することによりディスクを挟持する際の該クランパの位置決めを行う構造としている。
【０００８】
ところで、トラバースユニットがフレームとの連結部分を支点として傾動し、ターンテーブルが水平状態となる前にクランパとの間で発生する磁力によってクランパが引き付けられて該クランパの凸部が該ターンテーブルの凹部に嵌合することとなるが、該クランパはフレームの上方に形成する支持部において該フレームに対し水平方向に若干の隙間を設けた状態で取り付けられるため、該クランパがディスクを挟持する前の位置によっては、該クランパの凸部がターンテーブルの凹部に嵌合出来ず該ターンテーブルの上面に乗り上げてしまい、該ディスクが挟持出来ずに該ディスクの記録或いは再生が不可能な状態が生じることがあった。又、乗り上げ状態にあったクランパの凸部がターンテーブルの凹部に嵌合するときに衝突音が発生するなどの品質的な課題があった。
【０００９】
そこで、特許文献１では、クランパの凸部が嵌合するターンテーブルの凹部にテーパ面を形成して該クランパの凸部が乗り上げた際に凹部へと誘導できる構造を開示している。
【００１０】
【特許文献１】特開平１０−１０６０９１号公報
【発明の開示】
【発明が解決しようとする課題】
【００１１】
しかし、特許文献１に開示された構造を用いた場合、クランパとターンテーブルとの位置決めを考慮して凸部の直線部分がかかる凹部の直線部分を形成する必要があり、その結果、ターンテーブルの高さ方向における寸法の増加を招き、フレームに対するトラバースユニットの取り付け位置の変更等が発生し、ディスク装置の高さ寸法の増加により、該装置の大型化を招くという問題があった。
【００１２】
本発明は上述した点に鑑み、ディスク装置の大型化を招くことなくディスクを挟持する際においてターンテーブルの上面にクランパの凸部が乗り上げる現象を防止することを目的とし、又、ターンテーブルの上面にクランパの凸部が乗り上げる現象を防止することで、ディスクを挟持する際の衝突音を軽減することを目的とする。
【課題を解決するための手段】
【００１３】
請求項１に記載のディスク装置は、ディスクを載置し回転させるターンテーブルと、前記ディスクにレーザー光を照射し該ディスクの情報を読み込み或いは該ディスクに情報を記録するピックアップユニットと、該ターンテーブルと該ピックアップユニットとを組み付けるシャーシとを主要構成部品とするトラバースユニットと、前記トラバースユニットを内部に収容するための開口部分を有するフレームと、前記トラバースユニットの後方部分を支点として前記フレームに対して該トラバースユニットを傾動させる該フレームの幅方向に摺動可能なラックローディングと、前記ターンテーブルと共に前記ディスクを挟持するクランパと、前記トラバースユニットの前方に組み付けられるホルダ部材とを備え、前記トラバースユニットの後方部分と前記フレームの内側後方部分とは緩衝部材を介して連結し、前記トラバースユニットの前方部分に組み付けられる前記ホルダ部材の前面には前方側ガイド軸が、前記ホルダ部材の両側面には側方側ガイド軸が形成され、前記フレームの前方側には前記前方側ガイド軸が遊嵌する前面側ガイド溝が、前記フレームの側面内側には前記側方側ガイド軸が遊嵌する側面側ガイド溝が形成され、前記ラックローディングには前記ホルダ部材の前方側ガイド軸が挿通するカム溝を形成し、前記前方側ガイド軸を前記カム溝に挿通させて前記前面側ガイド溝に遊嵌した状態で組み付けられているディスク装置であって、前記前面側ガイド溝に突起部を形成し、前記側面側ガイド溝には前記フレームの後方側に膨出した空間が形成されていることを特徴とする。
【００１４】
請求項１に記載のディスク装置によれば、トラバースユニットが傾斜状態からフレームとの連結部分を支点に傾動する際にホルダ部材に形成した前方側ガイド軸が突起部を乗り上げて一時的にトラバースユニットをフレームの後方側へと移動させることが出来るため、ターンテーブルとクランパとの垂直方向（ディスク装置の高さ方向）における位置をほぼ一致させることが出来、該クランパの凸部が該ターンテーブルの上面に乗り上げることを防止することが可能となる。
【００１５】
請求項２に記載のディスク装置は、ディスクを載置し回転させるターンテーブルと、前記ディスクにレーザー光を照射し該ディスクの情報を読み込み或いは該ディスクに情報を記録するピックアップユニットと、該ターンテーブルと該ピックアップユニットとを組み付けるシャーシとを主要構成部品とするトラバースユニットと、前記トラバースユニットを内部に収容するための開口部分を有するフレームと、前記トラバースユニットの後方部分を支点として前記フレームに対して該トラバースユニットを傾動させる該フレームの幅方向に摺動可能なラックローディングと、前記ターンテーブルと共に前記ディスクを挟持するクランパと、前記トラバースユニットの前方に組み付けられるホルダ部材とを備え、前記トラバースユニットの後方部分と前記フレームの内側後方部分とは緩衝部材を介して連結し、前記トラバースユニットの前方部分に組み付けられる前記ホルダ部材の前面には前方側ガイド軸が、前記ホルダ部材の両側面には側方側ガイド軸が形成され、前記フレームの前方側には前記前方側ガイド軸が遊嵌する前面側ガイド溝が、前記フレームの側面内側には前記側方側ガイド軸が遊嵌する側面側ガイド溝が形成され、前記ラックローディングには前記ホルダ部材の前方側ガイド軸が挿通するカム溝を形成し、前記前方側ガイド軸を前記カム溝に挿通させて前記前面側ガイド溝に遊嵌した状態で組み付けられているディスク装置であって、前記ホルダ部材の前面側に突起部を形成し、前記ラックローディングの前記ホルダ部材側には突起部を形成し、前記側面側ガイド溝には前記フレームの後方側に膨出した空間が形成されていることを特徴とする。
【００１６】
請求項２に記載のディスク装置によれば、トラバースユニットが傾斜状態からフレームとの連結部分を支点に傾動する際にホルダ部材の前面側に形成した突起部が摺動するラックローディングに形成した突起部を乗り上げて一時的にトラバースユニットをフレームの後方側へと移動させることが出来るため、ターンテーブルとクランパとの垂直方向（ディスク装置の高さ方向）における位置をほぼ一致させることが出来、該クランパの凸部が該ターンテーブルの上面に乗り上げることを防止することが可能となる。
【００１７】
請求項３に記載のディスク装置は、ディスクを載置し回転させるターンテーブルと、前記ディスクにレーザー光を照射し該ディスクの情報を読み込み或いは該ディスクに情報を記録するピックアップユニットと、該ターンテーブルと該ピックアップユニットとを組み付けるシャーシとを主要構成部品とするトラバースユニットと、前記トラバースユニットを内部に収容するための開口部分を有するフレームと、前記トラバースユニットの後方部分を支点として前記フレームに対して該トラバースユニットを傾動させる該フレームの幅方向に摺動可能なラックローディングと、前記ターンテーブルと共に前記ディスクを挟持するクランパと、前記トラバースユニットの前方に組み付けられるホルダ部材とを備え、前記トラバースユニットの後方部分と前記フレームの内側後方部分とは緩衝部材を介して連結し、前記トラバースユニットの前方部分に組み付けられる前記ホルダ部材の前面には前方側ガイド軸が、前記ホルダ部材の両側面には側方側ガイド軸が形成され、前記フレームの前方側には前記前方側ガイド軸が遊嵌する前面側ガイド溝が、前記フレームの側面内側には前記側方側ガイド軸が遊嵌する側面側ガイド溝が形成され、前記ラックローディングには前記ホルダ部材の前方側ガイド軸が挿通するカム溝を形成し、前記前方側ガイド軸を前記カム溝に挿通させて前記前面側ガイド溝に遊嵌した状態で組み付けられているディスク装置であって、前記側面側ガイド溝には前記フレームの後方側に湾曲した部分が形成されていることを特徴とする。
【００１８】
請求項３に記載のディスク装置によれば、トラバースユニットが傾斜状態からフレームとの連結部分を支点に傾動する際にホルダ部材に形成した両側方側ガイド軸が湾曲した側面側ガイド溝に沿って一時的にトラバースユニットをフレームの後方側へと移動させることが出来るため、ターンテーブルとクランパとの垂直方向（ディスク装置の高さ方向）における位置をほぼ一致させることが出来、該クランパの凸部が該ターンテーブルの上面に乗り上げることを防止することが可能となる。
【発明の効果】
【００１９】
本発明によれば、ターンテーブルを組み付けたトラバースユニットが上昇する際に一時的に該ターンテーブルとクランパとの垂直方向における位置を強制的に合わせ（すなわち、フレームとの連結部分を支点に傾動するトラバースユニットを一時的に該フレームの後方側へと移動させる手段を設け）、該クランパの凸部が該ターンテーブルの上面に乗り上げることなく該ターンテーブルに形成された凹部に嵌合することが出来る構造としており、ディスク装置の大型化を招くことなく該ターンテーブルの上面に対して該クランパの凸部が乗り上げる現象を防止することが出来る。又、ターンテーブルの上面に対するクランパの凸部の乗り上げを防止することで、ディスクを挟持する際の衝突音を軽減することが出来る。
【発明を実施するための最良の形態】
【００２０】
本発明の実施の形態を、図面を参照して説明する。尚、以下の実施例は本発明の具体例に過ぎず、本発明が以下の実施形態に限定されるものではない。
【実施例１】
【００２１】
図１、図２、図３、図４、図５は、夫々、本実施例のディスク装置の正面側斜視図、ディスク装置の背面側斜視図、フレームの背面側斜視図、フレームの側面側斜視図、ディス装置の上面図及び断面図である。ここで、図５（ｂ）、図５（ｃ）、図５（ｄ）は、図５（ａ）に示す上面図のＡＢにおける断面図であり、夫々、前方側ガイド軸６１が、突起部８１の下にある場合、同じ高さにある場合、上にある場合を示している。なお、本発明の特徴を明確にするため、図中においてトレイ、ピックアップユニット、駆動機構などの詳細な部品については省略している。
【００２２】
本実施例のディスク装置は、少なくともディスクを載置し回転するためのターンテーブル２２と、回転するディスクの記録面にレーザー光を照射して該ディスクの情報を読み込み再生する、或いは該ディスクに情報を書き込み記録するためのピックアップユニット（図示せず）とを組み付けるシャーシ２１とによって構成するトラバースユニット２と、該トラバースユニット２を内部に収納するための開口部分を有するフレーム３と、該トラバースユニット２の一端を該フレーム３の内側後方部分と緩衝部材を介して連結した構造としている。前記トラバースユニット２は前記フレーム３との連結部分を支点として傾斜状態と水平状態とに傾動可能である。
【００２３】
トラバースユニット２の他端側（フレーム３と連結する部分の反対側）には緩衝部材を介してホルダ部材６を組み付け、該ホルダ部材６の前面及び両側面にはそれぞれ前方側ガイド軸６１と側方側ガイド軸６２とを形成している。
【００２４】
フレーム３の前方側にはトラバースユニット２に取り付けたホルダ部材６の前方側ガイド軸６１が遊嵌するガイド溝（以下、前面側ガイド溝３１と称す）を形成し、該フレーム３の側面内側には該ホルダ部材６の両側方側ガイド軸６２が遊嵌するガイド溝（以下、側面側ガイド溝３３を称す）を形成している。
【００２５】
フレーム３の前方側には前記ホルダ部材６の前方側ガイド軸６１が挿通するカム溝を形成したラックローディングが該フレーム３に対して摺動可能に取り付けてあり、前記ホルダ部材の前方側ガイド軸６１を前記ラックローディングのカム溝に挿通させて前面側ガイド溝３１に遊嵌した状態で組み付けられ、該ラックローディングが摺動動作をすることによってホルダ部材６と連結しているトラバースユニット２がフレーム３との連結部分を支点に傾斜状態或いは水平状態となる。
【００２６】
本実施例の構造として、フレーム３の前面側ガイド溝３１に突起部８１を形成しており、該フレーム３の側面側ガイド溝３３には後方側に膨出した空間を形成している。本実施例の構造により、トラバースユニット２が傾斜状態からフレーム３との連結部分を支点に傾動する際にホルダ部材６に形成した前方側ガイド軸６１が突起部８１を乗り上げて一時的にトラバースユニット２をフレーム３の後方側へと移動させることが出来る。すなわち、ターンテーブル２２とクランパ５との垂直方向（ディスク装置の高さ方向）における位置をほぼ一致させることが出来、該クランパ５の凸部が該ターンテーブル２２の上面に乗り上げることなく該ターンテーブルの凹部に嵌合させることが可能となる。
【実施例２】
【００２７】
図６は、本発明の実施例２を示すディスク装置の上面側斜視図である。尚、前記実施例１と同一機能を有する部分には同一符号を付し、重複する部分の説明を省略し、異なる部分についてのみ説明する。
【００２８】
本実施例の構造では、ホルダ部材６の前面側に突起部８２を形成し、摺動可能なラックローディング４のホルダ部材６側においても突起部８３を形成している。尚、フレーム３の側面側ガイド溝３１の形状は実施例１と同様である。
【００２９】
本実施例の構造により、トラバースユニット２が傾斜状態からフレーム３との連結部分を支点に傾動する際にホルダ部材６の前面側に形成した突起部８２が摺動するラックローディング４に形成した突起部８３を乗り上げて一時的にトラバースユニット２をフレーム３の後方側へと移動させることが出来る。
【実施例３】
【００３０】
図７は、本実施例のフレームの側面側斜視図である。尚、前記各実施例と同一機能を有する部分には同一符号を付し、重複する部分の説明を省略し、異なる部分についてのみ説明する。
【００３１】
本実施例の構造では、図７に示すように、フレーム３の側面側ガイド溝３４を湾曲して形成している。
【００３２】
本実施例の構造により、トラバースユニット２が傾斜状態からフレーム３との連結部分を支点に傾動する際にホルダ部材６に形成した両側方側ガイド軸６２が湾曲した側面側ガイド溝３４に沿って一時的にトラバースユニット２をフレーム３の後方側へと移動させることが出来る。
【００３３】
以上述べたように、本発明では、ターンテーブルを組み付けたトラバースユニットが上昇する際に一時的に該ターンテーブルとクランパとの垂直方向における位置を強制的に合わせ、該クランパの凸部が該ターンテーブルの上面に乗り上げることなく該ターンテーブルに形成された凹部に嵌合することが出来る構造としており、大型化を招くことなく上記課題を解決するディスク装置を提供することが出来る。又、ターンテーブルの上面にクランパの凸部が乗り上げる現象を防止することで、ディスクを挟持する際の衝突音を軽減することが出来る。
【図面の簡単な説明】
【００３４】
【図１】本発明の実施例１におけるディスク装置の正面側斜視図である。
【図２】同上、ディスク装置の背面側斜視図である。
【図３】同上、フレームの背面側斜視図である。
【図４】同上、フレームの側面側斜視図である。
【図５】同上、ディスク装置の上面図及び断面図である。
【図６】本発明の実施例２におけるディスク装置の上面側斜視図である。
【図７】本発明の実施例３におけるフレームの側面側斜視図である。
【符号の説明】
【００３５】
２  トラバースユニット
３  フレーム
４  ラックローディング
５  クランパ
６  ホルダ部材
２１  シャーシ
２２  ターンテーブル
３１  前面側ガイド溝
３３  側面側ガイド溝
３４  側面側ガイド溝
６１  前方側ガイド軸
６２  側方側ガイド軸
８１  突起部
８２  突起部
８３  突起部
【図１】
2007157186.tif 000003
【図２】
2007157186.tif 000004
【図３】
2007157186.tif 000005
【図４】
2007157186.tif 000006
【図５】
2007157186.tif 000007
【図６】
2007157186.tif 000008
【図７】
2007157186.tif 000009